(57)【特許請求の範囲】
【請求項１】
光学ドライブに設けられた固定コネクターに対して着脱可能な可動コネクターと、
当該可動コネクターをコネクター嵌合方向に付勢する付勢手段と、
前記可動コネクターを、前記光学ドライブの取付位置の側に前進した前端位置と、当該
前端位置からコネクター嵌合方向とは逆の側に後退した後端位置との間で往復移動可能に
保持するホルダーとを有し、
当該ホルダーは、
前記可動コネクターを前記前端位置から前記後端位置の側に後退させたとき、当該可動
コネクターを前記コネクター嵌合方向と直交する方向に予め設定した寸法の遊びがある状態で保持すると共に、
前記前端位置において、前記コネクター嵌合方向と直交する方向の遊びが前記予め設定
した寸法よりも小さい状態で前記可動コネクターを保持しており、
前記ホルダーには、前記コネクター嵌合方向に沿って延びるガイド溝が設けられ、
前記可動コネクターには、前記ガイド溝内を案内されるガイド突起が設けられ、
前記ガイド溝は、
前記後端位置側の端部が、前記コネクター嵌合方向と直交する方向に前記予め設定した
寸法の遊びがある状態で前記ガイド突起を案内し、且つ、前記前端位置側の端部が、前記コネクター嵌合方向と直交する方向に前記予め設定した寸法よりも小さい遊びがある状態で前記ガイド突起を案内するように形成されていることを特徴とする光学ドライブのコネクター接続機構。
【請求項２】
請求項１において、
前記ホルダーは、前記コネクター嵌合方向と直交する方向に間隔を空けて配置された一
対のガイド部を備え、当該一対のガイド部の間を通って前記可動コネクターが往復移動す
るように構成されており、
各ガイド部に対峙する前記可動コネクターの各側面に前記ガイド突起が形成され、
各ガイド部における各ガイド突起に対峙する部分に前記ガイド溝が形成され、
各ガイド溝は、
前記側面に対峙している溝底面の位置が、前記後端位置側の端部において、前記前端位
置側の端部よりも前記側面から後退した位置に設けられていることを特徴とする光学ドラ
イブのコネクター接続機構。
【請求項３】
請求項２において、
前記ガイド溝の溝幅が、前記後端位置側の端部において、前記前端位置側の端部よりも
幅広に形成されていることを特徴とする光学ドライブのコネクター接続機構。
【請求項４】
請求項２または３において、
前記可動コネクターの側面に複数の前記ガイド突起が形成されており、
前記ガイド部における前記複数の前記ガイド突起に対峙する部分には、当該複数の前記
ガイド突起を案内するための複数の前記ガイド溝が形成されていることを特徴とする光学
ドライブのコネクター接続機構。
【請求項５】
請求項１ないし４のいずれかの項に記載のコネクター接続機構と、
前記取付位置において前記光学ドライブを支持する支持フレームとを有し、
前記可動コネクターは、
前記光学ドライブが前記取付位置に挿入される前は前記前端位置に移動しており、
前記光学ドライブが前記取付位置に位置決めされると、前記固定コネクターに嵌合され
て前記後端位置の側に移動することを特徴とする光学ドライブ着脱機構。
【請求項６】
請求項５に記載の光学ドライブ着脱機構と、
当該光学ドライブ着脱機構によって着脱可能に取り付けられる光学ドライブと、
前記取付位置に装着された前記光学ドライブに光ディスクを搬送するための搬送機構と
を有することを特徴とする光ディスク処理装置。
【発明の詳細な説明】
【技術分野】
【０００１】
本発明は、ＣＤやＤＶＤなどの光ディスクにデータを書き込むための光学ドライブを備える光ディスク処理装置に関し、特に、光学ドライブと装置本体との配線接続のためのコネクター接続機構および光学ドライブ着脱機構に関する。
【背景技術】
【０００２】
大量のデータを記録するためのメディアとして、ＣＤ、ＤＶＤなどの光ディスクが広く利用されている。このような光ディスクにデータを書き込んでＣＤ／ＤＶＤディスクとして発行するために、データの記録再生用の光学ドライブ、および、光ディスクのレーベル面に印刷を行うためのプリンターを備えるパブリッシャーが用いられている。この種のパブリッシャーは、光学ドライブから出し入れ可能に設けられたディスクトレイと、このディスクトレイ上に光ディスクを搬送する搬送アームなどの搬送機構を備えており、これらを駆動制御することにより、光学ドライブへの光ディスクの供給および光ディスクの取り出しを行っている。
【０００３】
従来は、パブリッシャーなどの装置内に光学ドライブを取り付けるとき、光学ドライブを予め支持フレームに取り付けて、これを装置内に位置決めして固定している。あるいは、支持フレームを予め装置内に固定しておき、この中に光学ドライブを挿入して位置決めし、ネジ止め等によって固定している。しかしながら、このような光学ドライブの取付方法は、装置本体の外装ケースを外して支持フレームの背面側あるいは側面側からネジ止め作業等を行う必要があるため、作業負担が大きく、作業性も良好とはいえない。
【０００４】
また、光学ドライブを装置内に取り付けるときには、光学ドライブに設けられたドライブ側コネクターと、光学ドライブの近傍に引き出された配線の端部に設けられた装置側コネクターとを接続することにより、データ通信や電源供給のための配線接続を行う。この作業を容易にするため、ドライブ側コネクターを光学ドライブの後端面に形成し、これと正対する位置に装置側コネクターを設置しておくことにより、光学ドライブの挿入が完了したとき、同時に配線接続が完了するようにしている。特許文献１には、この種のコネクター接続構造が開示されている。
【０００５】
特許文献１のハードディスク装置は、ハードディスクドライブを支持するガイド部材の後端に装置本体側のコネクター（ナビゲーションユニット側コネクター）が固定されており、ハードディスクドライブの後端に、ドライブ側のコネクターが形成されている。これにより、ガイド部材にハードディスクドライブを挿入すると装置本体側のコネクターにドライブ側のコネクターが挿入され、ガイド部材へのハードディスクドライブの挿入が完了したとき、両コネクターの接続が完了する。
【先行技術文献】
【特許文献】
【０００６】
【特許文献１】特開２００８−９７６９７号公報
【発明の概要】
【発明が解決しようとする課題】
【０００７】
光学ドライブと搬送機構との間で光ディスクの受け渡しを確実に行って搬送信頼性を高めるためには、搬送機構による光ディスクの搬送位置とディスクトレイの進出位置とを一致させるように、光学ドライブを正確に位置決めして取り付ける必要がある。
【０００８】
ここで、装置本体側コネクターを光学ドライブの後方に固定すると、搬送機構との関係で光学ドライブの取付位置を調整した場合、ドライブ側コネクターと装置本体側コネクターとの相対位置精度が低下し、コネクターの接続性が低下してしまう。すなわち、光学ドライブの搬送機構に対する取付位置精度とコネクターの接続性とが背反事項になってしまい、両立できなくなってしまう。
【０００９】
そこで、光学ドライブの搬送機構に対する取付位置精度とコネクターの接続性とを両立するため、装置本体側コネクターを装置本体に対して位置調整可能に取り付けておくことが考えられる。例えば、装置本体側コネクターをコネクター嵌合方向と直交する方向に移動可能に保持するようなコネクター保持機構を設けておくことが考えられる。
【００１０】
しかしながら、装置本体側コネクターを単純に移動可能な状態で保持させるだけでは、装置本体側コネクターがその移動範囲内で自由に動いてしまうため、光学ドライブを挿入したときに装置本体側コネクターとドライブ側コネクターが大きく位置ずれして、ドライブ側コネクターを装置本体側コネクターにうまく嵌合させることができないおそれがある。すなわち、光学ドライブの搬送機構に対する取付位置精度とコネクターの接続性の両立を図った結果、光学ドライブの着脱作業性（特に、コネクターの接続作業性）が低下してしまうという問題点がある。
【００１１】
本発明の課題は、この点に鑑みて、光学ドライブの取付位置精度の向上と光学ドライブのコネクターの接続性の両立を図ることができ、更に、光学ドライブの着脱作業時のコネクターの接続作業性までも良好にすることのできる光ディスク処理装置およびその光学ドライブ着脱機構、ならびにコネクター接続機構を提案することにある。
【００１２】
上記の課題を解決するために、本発明の光学ドライブのコネクター接続機構は、
光学ドライブに設けられた固定コネクターに対して着脱可能な可動コネクターと、
当該可動コネクターをコネクター嵌合方向に付勢する付勢手段と、
前記可動コネクターを、前記光学ドライブの取付位置の側に前進した前端位置と、当該前端位置からコネクター嵌合方向とは逆の側に後退した後端位置との間で往復移動可能に保持するホルダーとを有し、
当該ホルダーは、
前記可動コネクターを前記前端位置から前記後端位置の側に後退させたとき、当該可動コネクターを前記コネクター嵌合方向と直交する方向に予め設定した寸法の遊びがある状態で保持すると共に、
前記前端位置において、前記コネクター嵌合方向と直交する方向の遊びが前記予め設定した寸法よりも小さい状態で前記可動コネクターを保持していることを特徴としている。
【００１３】
本発明は、このように、可動コネクターを光学ドライブの取付位置の側（前端位置）に向けて付勢して、付勢手段によって前端位置に可動コネクターを移動させたときにはその遊びが小さくなるか、あるいは、遊びがない状態になるように構成している。このため、光学ドライブの着脱作業時に可動コネクターが大きく動いてしまうことがなく、固定コネクターとの接続作業が容易である。その一方で、光学ドライブを取付位置に向けて挿入して固定コネクターを介して後端位置の側に可動コネクターを移動させたときには、可動コネクターの遊びが大きくなるように構成している。このため、両コネクターの嵌合後はコネクター嵌合方向と直交する方向への光学ドライブの位置調整の自由度を大きくすることができる。よって、光学ドライブの取付位置精度の向上と光学ドライブのコネクターの接続性の両立を図ることができ、更に、光学ドライブの着脱作業時のコネクターの接続作業性までも良好にすることができる。
【００１４】
本発明において、前記ホルダーには、前記コネクター嵌合方向に延びるガイド溝が設けられ、前記可動コネクターには、前記ガイド溝内を案内されるガイド突起が設けられ、前記ガイド溝は、前記後端位置側の端部が、前記コネクター嵌合方向と直交する方向に前記予め設定した寸法の遊びがある状態で前記ガイド突起を案内し、且つ、前記前端位置側の端部が、前記コネクター嵌合方向と直交する方向に前記予め設定した寸法よりも小さい遊びがある状態で前記ガイド突起を案内するように形成されていることが望ましい。このようにすると、後端位置では可動コネクターの遊びを大きくして位置調整の自由度を大きくする一方、前端位置では可動コネクターの遊びを小さくしてコネクターの接続作業性を良好にすることができる。
【００１５】
この場合に、前記ホルダーは、前記コネクター嵌合方向と直交する方向に間隔を空けて配置された一対のガイド部を備え、当該一対のガイド部の間を通って前記可動コネクターが往復移動するように構成されており、各ガイド部に対峙する前記可動コネクターの各側面に前記ガイド突起が形成され、各ガイド部における各ガイド突起に対峙する部分に前記ガイド溝が形成され、各ガイド溝は、前記側面に対峙している溝底面の位置が、前記後端位置側の端部において、前記前端位置側の端部よりも前記側面から後退した位置に設けられていることが望ましい。このようにすると、ホルダーによって可動コネクターをコネクター嵌合方向に移動可能に保持すると共に、後端位置側に移動したときには可動コネクターの幅方向の遊びを大きくし、前端位置側に移動したときには幅方向の遊びを小さくすることができる。
【００１６】
また、前記ガイド溝の溝幅が、前記後端位置側の端部において、前記前端位置側の端部よりも幅広に形成されていることが望ましい。このようにすると、溝幅方向における可動コネクターの遊びを後端位置側において大きくし、前端位置側において小さくすることができる。
【００１７】
ここで、前記可動コネクターの側面に複数の前記ガイド突起が形成されており、前記ガイド部における前記複数の前記ガイド突起に対峙する部分には、当該複数の前記ガイド突起を案内するための複数の前記ガイド溝が形成されていることが望ましい。このようにすると、可動コネクターを複数の位置でガイドできるため、可動コネクターの傾きを抑制でき、その姿勢を安定させることができる。従って、コネクターの接続作業性を更に良好にすることができる。
【００１８】
次に、本発明の光学ドライブ着脱機構は、
上記のコネクター接続機構と、
前記取付位置において前記光学ドライブを支持する支持フレームとを有し、
前記可動コネクターは、
前記光学ドライブが前記取付位置に挿入される前は前記前端位置に移動しており、
前記光学ドライブが前記取付位置に位置決めされると、前記固定コネクターに嵌合されて前記後端位置の側に移動することを特徴としている。
【００１９】
このような構成によれば、光学ドライブを支持フレームに沿って規定の挿入方向に挿入するとき、付勢手段の付勢力によって両コネクターを嵌合方向に付勢できるため、コネクターの接続作業を簡単且つ確実に行うことができる。特に、嵌合開始時には可動コネクターが遊びの少ないかあるいは遊びのない前端位置にあるため、可動コネクターが固定コネクターから大きくずれた位置まで動いてしまうことがなく、固定コネクターとの接続作業性が良好である。その一方で、光学ドライブの取付完了時には、可動コネクターを遊びの大きい後端位置の側に移動させることができ、光学ドライブのコネクター嵌合方向と直交する方向への位置調整の自由度を大きくすることができる。従って、光学ドライブの取付位置精度の向上とコネクター接続性の両立を図ることができる構成でありながら、光学ドライブの着脱作業時のコネクターの接続作業性までも良好にすることができる。
【００２０】
また、本発明の光ディスク処理装置は、
上記の光学ドライブ着脱機構と、
当該光学ドライブ着脱機構によって着脱可能に取り付けられる光学ドライブと、
前記取付位置に装着された前記光学ドライブに光ディスクを搬送するための搬送機構とを有することを特徴としている。
【００２１】
このような構成によれば、コネクター接続性と光学ドライブの取付位置精度とを両立できる構成でありながら、光学ドライブの着脱作業時のコネクターの接続作業性までも良好にすることができる。従って、搬送機構に対して光学ドライブを正確に位置決めして装着でき、光ディスクの搬送信頼性の向上を図ることができると共に、光学ドライブを確実に着脱でき、その着脱作業性も良好な光ディスク処理装置となる。
【発明の効果】
【００２２】
本発明によれば、光学ドライブの着脱作業時に可動コネクターが大きく動いてしまうことがないため、固定コネクターとの接続作業が容易である。一方、光学ドライブの取付後にはコネクター嵌合方向と直交する方向への位置調整の自由度を大きくすることができるため、光学ドライブの取付位置精度の向上とコネクター接続性の両立を図ることができる。従って、光学ドライブの取付位置精度の向上と光学ドライブのコネクターの接続性の両立を図ることができ、更に、光学ドライブの着脱作業時のコネクターの接続作業性までも良好にすることができる。
【図面の簡単な説明】
【００２３】
【図１】本発明を適用したパブリッシャーを前面側から見た斜視図である。
【図２】光学ドライブおよびその支持フレームを示す斜視図である。
【図３】支持フレームの斜視図である。
【図４】光学ドライブを斜め下側から見た斜視図である。
【図５】光学ドライブ着脱機構の底面図（ロック状態）である。
【図６】光学ドライブ着脱機構の底面図（光学ドライブが挿入途中位置にある状態）である。
【図７】ロック解除レバーを斜め下側から見た斜視図である。
【図８】光学ドライブ着脱機構の底面図（ロック解除状態）である。
【図９】コネクター接続機構の平面図である。
【図１０】可動コネクターの平面図、後面図および側面図である。
【図１１】可動コネクターが前端位置にあるときのコネクター接続機構の断面図である。
【発明を実施するための形態】
【００２４】
以下に、図面を参照して、本発明を適用したパブリッシャーおよびその光学ドライブ着脱機構、ならびにコネクター接続機構の実施の形態を説明する。
【００２５】
（全体構成）
図１は本発明を適用したパブリッシャーを前面側から見た斜視図であり、装置ケースの前面扉を開くと共に装置ケースの上板部分の一部を外した状態を示している。パブリッシャー１（光ディスク処理装置）は、ＣＤ、ＤＶＤなどの光ディスク１０にデータの書込みとレーベルの印刷とを連続して行うものであり、光ディスク１０を搬送するためのオートローダー２（搬送機構）と、光ディスク１０にデータを書込む光学ドライブ３と、光ディスク１０のレーベル面に印刷するためのレーベルプリンター４を有している。また、光学ドライブ３に供給されるブランクディスク１０Ａを収納する供給スタッカー５と、データの書込みおよびレーベル印刷が終了した完成ディスク１０Ｂを収納するための収納スタッカー６を有している。
【００２６】
詳細に説明すると、パブリッシャー１は箱型の装置ケース７を備えており、この装置ケース７の前面には左右に開閉可能な開閉扉８、９が取り付けられている。装置ケース７内において、装置前面から見て右側に位置する開閉扉８の内側に、供給スタッカー５と収納スタッカー６が上下に重なった状態で配置されている。各スタッカー５、６は、光ディスク１０（ブランクディスク１０Ａ、完成ディスク１０Ｂ）を上下方向に積層した状態で収納するものである。これらのスタッカー５、６は、開閉扉８を開けて手前に引き出すことが可能となっている。引き出した状態の供給スタッカー５にはブランクディスク１０Ａを供給あるいは補充でき、引き出した状態の収納スタッカー６からは、収納されている完成ディスク１０Ｂを取り出すことができる。
【００２７】
供給スタッカー５および収納スタッカー６の後方には、オートローダー２（搬送機構）が配置されている。オートローダー２は、垂直ガイド軸２ａと、この垂直ガイド軸２ａに取り付けられたディスクキャリア２ｂを備えている。ディスクキャリア２ｂは、垂直ガイド軸２ａに沿って昇降可能であるとともに、垂直ガイド軸２ａを中心に旋回可能になっている。ディスクキャリア２ｂの先端には、光ディスク１０の中心に形成された孔を利用して光ディスク１０を保持するための図示しない保持手段が設けられている。オートローダー２は、ディスクキャリア２ｂの昇降動作および旋回動作の組み合わせによって、光学ドライブ３、レーベルプリンター４、供給スタッカー５および収納スタッカー６の間で光ディスク１０を搬送する。
【００２８】
装置ケース７内の正面中央部の後ろ側の部位には、２台の光学ドライブ３が上下に重なった状態で配置され、その下側にレーベルプリンター４が配置されている。装置ケース７内における装置前面から見て左側に位置する開閉扉９の内側にはカートリッジ装着部４ｂが配置されている。このカートリッジ装着部４ｂには、レーベルプリンター４にインクを供給するためのインクカートリッジが装着される。
【００２９】
図１は、光学ドライブ３のディスクトレイ３ａおよびレーベルプリンター４のディスクトレイ４ａが引き出された状態を示している。このディスクトレイ３ａ、４ａの位置が、光学ドライブ３およびレーベルプリンター４とオートローダー２との間で光ディスク１０の受け渡しを行うための受け渡し位置となっている。光学ドライブ３のディスクトレイ３ａは、光学ドライブ３内に後退したデータ書き込み位置と、図１に示す受け渡し位置との間を移動可能となっている。同様に、レーベルプリンター４のディスクトレイ４ａは、プリンター内に後退した印刷位置と、図１に示す受け渡し位置との間を移動可能となっている。
【００３０】
（光学ドライブの着脱機構）
図２は光学ドライブ３およびその支持フレームを示す斜視図であり、図３は支持フレームの斜視図である。図２に示すように、光学ドライブ３は、その上方および側方を覆う支持フレーム１１によって保持されている。支持フレーム１１は、装置ケース７内におけるレーベルプリンター４の上方に固定されている。この支持フレーム１１により、光学ドライブ３の取付位置Ｐ１および取付位置Ｐ２が規定されている。光学ドライブ３は、支持フレーム１１の前方から取付位置Ｐ１、Ｐ２に挿入される。
【００３１】
パブリッシャー１は、取付位置Ｐ１、Ｐ２のそれぞれに光学ドライブ３を着脱可能に取り付けるための光学ドライブ着脱機構１Ａ（図５、６、８参照）を備えている。光学ドライブ着脱機構１Ａは、上記の支持フレーム１１と、光学ドライブ３を取付位置Ｐ１、Ｐ２から引き抜き不能にするためのロック機構１Ｂ（図５、６、８参照）と、ロック機構１Ｂのロック状態を解除するためのロック解除機構１Ｃ（図５、６、８参照）を備えている。また、光学ドライブ着脱機構１Ａは、光学ドライブ３の後方に配置されたコネクター接続機構１Ｄ（図５、６、８〜１１参照）を備えている。
【００３２】
図２、図３に示すように、支持フレーム１１は、左右の側板１２Ｌ、１２Ｒおよび天板１３を備えている。側板１２Ｌ、１２Ｒの下端およびその上方の所定の高さ位置には、上下２段に配置された各光学ドライブ３の左右の側端部分を支持する支持板１４Ｌ、１４Ｒが２段に配置されている。左側の各支持板１４Ｌの上には、ロックレバー１５およびロック解除レバー１６が取り付けられている。各支持板１４Ｌの後端寄りの位置から上方に向かって回転支軸１７が延びており、各ロックレバー１５は各回転支軸１７に回転自在に取り付けられている。また、ロック解除レバー１６の後端部分には前後方向に延びる長孔１６ａが形成され、ここに回転支軸１７が挿通されている。これにより、ロック解除レバー１６は、側板１２Ｌに沿って前後方向にスライド可能となっている。
【００３３】
図４は、光学ドライブ３を斜め下側から見た斜視図である。光学ドライブ３は、ロックレバー１５と対峙する部分に固定されたロック板１８を備えている。ロック板１８は、光学ドライブ３の筺体の左側面に固定された側板部１８ａと、光学ドライブ３の筺体底面の左端部分に固定された底板部１８ｂを備えている。底板部１８ｂの後端には、下向きに突出するロックピン１９が形成されている。また、底板部１８ｂの前端には、光学ドライブ３の筺体前面よりも更に前方に突出する操作片１８ｃが形成されている。後述するロック解除状態では、操作片１８ｃを前方に引くことにより、光学ドライブ３を支持フレーム１１内から前方に引き抜くことができる。
【００３４】
図５、図６は、光学ドライブ着脱機構１Ａを下側から見た状態を示す底面図であり、図５は光学ドライブ３のロック状態、図６は光学ドライブ３が取付位置Ｐ１あるいはＰ２への挿入途中位置にある状態を示している。なお、図５、図６では、支持板１４Ｌを省略し、その輪郭線のみを破線で示している。また、図５、図６における矢印Ａ１は光学ドライブ３の挿入方向であり、矢印Ａ２は光学ドライブ３の引き抜き方向である。
【００３５】
図５、図６に示すように、ロックレバー１５は、支持フレーム１１の後方に向かうに従って幅広となる楔形の平面形状をしており、その後端部分には、光学ドライブ３の側に突出する係合爪１５ａが形成されている。ロックレバー１５の回転支軸１７には、ロックレバー１５をロック方向（図５において矢印Ｂで示す旋回方向）に付勢する捻りバネ２０が取り付けられている。光学ドライブ３が取付位置Ｐ１あるいはＰ２まで挿入されたとき、ロックレバー１５は、捻りバネ２０の付勢力によって図５に示すロック位置１５Ａまで旋回している。
【００３６】
光学ドライブ３が支持フレーム１１から取り外されているとき、ロックレバー１５は、捻りバネ２０の付勢力によってロック位置１５Ａと同じ姿勢になっている。この状態から、光学ドライブ３を支持フレーム１１内に挿入すると、光学ドライブ３の底面に設けられたロックピン１９がロックレバー１５に前方から当接し、これを後方に押圧する。このため、ロックレバー１５は、捻りバネ２０の付勢力に逆らって旋回し、図６に示すように、側板１２Ｌの側に退避する。
【００３７】
光学ドライブ３が取付位置Ｐ１あるいはＰ２に到達すると、ロックレバー１５の後端よりも後方にロックピン１９が移動する。このため、ロックレバー１５が図５に示すロック位置１５Ａに戻り、係合爪１５ａがロックピン１９の前方に突出してロックピン１９に係合する。これにより、光学ドライブ３を引き抜き不能なロック状態が形成される。このように、ロックレバー１５、ロックピン１９、および捻りバネ２０により、光学ドライブ３のロック機構１Ｂが構成されている。
【００３８】
図７はロック解除レバー１６を斜め下側から見た斜視図である。ロック解除レバー１６の後端部分には、ロックレバー１５の上に載ってスライドする水平なスライド片１６ｂが形成されている。スライド片１６ｂの後端には上述した長孔１６ａが形成されており、長孔１６ａの前方には、下向きに突出するロック解除ピン１６ｃが形成されている。また、ロック解除レバー１６の前端部分には、スライド片１６ｂの前端から前方に延びる解除操作片１６ｄが形成されている。図５、図６に示すように、ロックレバー１５の前端側にはガイド孔１５ｂが形成されており、ここにロック解除ピン１６ｃが挿入されている。
【００３９】
図８は光学ドライブ着脱機構１Ａの底面図であり、ロック解除状態を示している。図５に示す光学ドライブ３のロック状態において、ロック解除レバー１６を前方側（矢印Ａ２方向）に引くと、ロック解除ピン１６ｃがガイド孔１５ｂ内を前方に移動して、ロックレバー１５を捻りバネ２０の付勢力に逆らって旋回させる。これにより、ロックレバー１５がロック解除位置１５Ｂに移動して係合爪１５ａがロックピン１９の前方から退避する。従って、光学ドライブ３を前方に引き抜くことが可能になる。このように、ロック解除レバー１６およびこれに形成されたロック解除ピン１６ｃ、ならびに、ガイド孔１５ｂにより、ロック解除機構１Ｃが構成されている。
【００４０】
（コネクター接続機構）
図５、６、８に示すように、支持フレーム１１の後方には、パブリッシャー１内の基板や電源装置からのデータ通信や電源供給用の配線を光学ドライブ３に接続するためのコネクター接続機構１Ｄが設けられている。コネクター接続機構１Ｄは、支持フレーム１１の後方に引き出される配線ケーブル（図示省略）の端部に設けられた可動コネクター２１と、可動コネクター２１を前後方向すなわち光学ドライブ３の挿入／引き出し方向に移動可能に支持するホルダー２２と、可動コネクター２１を前方側（コネクター嵌合方向）に付勢する付勢バネ２３（図９参照）を備えている。
【００４１】
図９はコネクター接続機構１Ｄの平面図であり、図９（ａ）は可動コネクター２１が可動範囲の一端（前端位置）にある状態、図９（ｂ）は可動コネクター２１が可動範囲の他端（後端位置）にある状態を示している。光学ドライブ３の後端面には、可動コネクター２１に対して着脱可能な固定コネクター２４が設けられている。固定コネクター２４は、図５、図８に示すように、光学ドライブ３における可動コネクター２１と正対する位置に設けられている。可動コネクター２１は、光学ドライブ３を支持フレーム１１内から取り外しているときには、付勢バネ２３の付勢力によって図６、図９（ａ）に示す前端位置Ｑ１まで飛び出している。可動コネクター２１の前後方向の可動範囲はホルダー２２によって規制されており、可動範囲の一端が前端位置Ｑ１となっている。可動範囲の他端は、図９（ｂ）に示すように、可動コネクター２１の後端部分がホルダー２２に突き当たるまで後退した後端位置Ｑ３となっている。
【００４２】
光学ドライブ３を支持フレーム１１内に挿入すると、取付位置Ｐ１、Ｐ２の手前の所定位置で固定コネクター２４が可動コネクター２１に突き当たる。その後は、付勢バネ２３の付勢力に逆らって光学ドライブ３を押し込むため、両コネクターが嵌合方向に押し付けられる。光学ドライブ３が取付位置Ｐ１、Ｐ２まで挿入されたとき、可動コネクター２１は、図５、図８に示すように、前端位置Ｑ１よりも後方の接続位置Ｑ２まで押し込まれている。可動コネクター２１の可動範囲の後端位置Ｑ３（図９（ｂ）参照）は、接続位置Ｑ２よりも後方に設定されている。従って、光学ドライブ３を取り付けるときは、一旦取付位置Ｐ１、Ｐ２よりも奥まで光学ドライブ３を押し込み、可動コネクター２１をその可動範囲の後端位置Ｑ３まで後退させて可動コネクター２１に固定コネクター２４を押し付ける。これにより、両コネクターを確実に嵌合させることができる。
【００４３】
固定コネクター２４と可動コネクター２１を嵌合させた後、光学ドライブ３から手を離すと、付勢バネ２３の弾性復帰力によって光学ドライブ３が前方に戻り、係合爪１５ａにロックピン１９が係合して取付位置Ｐ１、Ｐ２に位置決めされる。光学ドライブ３は、取付位置Ｐ１、Ｐ２では、付勢バネ２３によって固定コネクター２４および可動コネクター２１を介して後方から前方に向けて付勢されている。このため、ロック解除レバー１６を操作すると、光学ドライブ３は、自動的に前方（矢印Ａ１方向）に押し出される。このとき、可動コネクター２１は、固定コネクター２４に接続された状態のまま前方に押し出され、ホルダー２２によって規定された前端位置Ｑ１で停止する。
【００４４】
図１０（ａ）は可動コネクター２１の平面図、図１０（ｂ）は可動コネクター２１の後面図、図１０（ｃ）は可動コネクター２１の側面図である。また、図１１は可動コネクター２１が前端位置Ｑ１にあるときのコネクター接続機構１Ｄの断面図であり、図１１（ａ）は縦断面図（図９（ａ）のＸ−Ｘ断面図）、図１１（ｂ）は図１１（ａ）のＹ１−Ｙ１断面線の位置における横断面図、図１１（ｃ）は図１１（ａ）のＹ２−Ｙ２断面線の位置における横断面図である。なお、図１１では、ホルダー２２の後端に設けられた後述するバネ取付部３０および位置規制部３１ａ、３１ｂおよび付勢バネ２３については図示を省略している。これらの図に示すように、可動コネクター２１は、固定コネクター２４との着脱部であるコネクター部２５と、コネクター部２５を保持している保持部材２６を備えている。
【００４５】
図９、図１０に示すように、保持部材２６は、コネクター部２５を前方に突出させた状態に保持している本体部２６ａと、本体部２６ａの左右の端部から後方に向かって平行に延びている側板部２６ｂ、２６ｃを備えている。側板部２６ｂ、２６ｃの間は矩形の凹部２６ｄとなっており、凹部２６ｄ内には２本の付勢バネ２３が平行に配置されている。付勢バネ２３は、保持部材２６を前方に向けて付勢するように取り付けられている。保持部材２６の側面２７ａ、２７ｂは前後方向に平坦に延びており、各側面２７ａ、２７ｂには、可動コネクター２１の幅方向の外側に向けて突出する第１ガイド突起２８および第２ガイド突起２９が形成されている。
【００４６】
図９、図１０（ａ）（ｃ）に示すように、第１ガイド突起２８は側面２７ａ、２７ｂの後端に形成されている。また、第２ガイド突起２９は側面２７ａ、２７ｂの前後方向の中央よりもやや後方の位置に形成されている。図１０（ｂ）（ｃ）に示すように、第１ガイド突起２８は側面２７ａ、２７ｂの下端寄りの位置に形成されており、第２ガイド突起２９は側面２７ａ、２７ｂの上端寄りの位置に形成されている。第１ガイド突起２８の側面２７ａ、２７ｂからの突出寸法は、第２ガイド突起２９の側面２７ａ、２７ｂからの突出寸法よりも小さい寸法になっている。
【００４７】
図９（ａ）（ｂ）に示すように、ホルダー２２の後端部分にはバネ取付部３０が設けられている。バネ取付部３０には２本の付勢バネ２３の後端が固定されている。バネ取付部３０の左右両側には位置規制部３１ａ、３１ｂが設けられている。位置規制部３１ａ、３１ｂは可動コネクター２１の側板部２６ｂ、２６ｃの後方に配置されている。可動コネクター２１の後端位置Ｑ３では、位置規制部３１ａ、３１ｂに側板部２６ｂ、２６ｃの後端が当接するようになっている。すなわち、ホルダー２２の位置規制部３１ａ、３１ｂによって可動コネクター２１の後方への可動範囲が規制されている。
【００４８】
ホルダー２２は、可動コネクター２１の幅方向の両側に配置された左右のガイド部３２ａ、３２ｂを備えている。ガイド部３２ａは可動コネクター２１の右側の側面２７ａに沿って前後方向に延びており、ガイド部３２ｂは左側の側面２７ｂに沿って前後方向に延びている。ガイド部３２ａ、３２ｂにおける可動コネクター２１の側面２７ａ、２７ｂに対峙する各面には、第１ガイド突起２８を前後方向に案内するための第１ガイド溝３３と、第２ガイド突起２９を前後方向に案内するための第２ガイド溝３４が形成されている。ガイド部３２ａ、３２ｂには、第１ガイド溝３３および第２ガイド溝３４が互いに対向する位置に形成されている。各第１ガイド溝３３には各第１ガイド突起２８の先端が挿入され、各第２ガイド溝３４には各第２ガイド突起２９の先端が挿入されるようになっている。
【００４９】
図１１（ａ）に示すように、第１ガイド溝３３および第２ガイド溝３４は前後方向に平行に延びている。第１ガイド溝３３はガイド部３２ａ（３２ｂ）の下端寄りの位置に形成されており、第２ガイド溝３４はガイド部３２ａ（３２ｂ）の上端寄りの部分に形成されている。第１ガイド溝３３および第２ガイド溝３４の前端は、図９（ａ）に示す前端位置Ｑ１に可動コネクター２１が移動したときの第１ガイド突起２８および第２ガイド突起２９の到達位置まで延びている。前端位置Ｑ１では、図９（ａ）、図１１（ｃ）に示すように、第１ガイド突起２８が第１ガイド溝３３の前端面３３ａに突き当たるようになっており、図９（ａ）、図１１（ｂ）に示すように、第２ガイド突起２９が第２ガイド溝３４の前端面３４ａに突き当たるようになっている。このように、本例では、第１ガイド溝３３の前端面３３ａおよび第２ガイド溝３４の前端面３４ａに第１ガイド突起２８および第２ガイド突起２９が当接することによって可動コネクター２１の前方への可動範囲が規制されており、第１ガイド溝３３および第２ガイド溝３４によって可動コネクター２１の前端位置Ｑ１が規定されている。
【００５０】
ここで、図９（ａ）（ｂ）および図１１（ｂ）（ｃ）を参照して、第１ガイド溝３３および第２ガイド溝３４の横断面形状について説明する。図１１（ｃ）に示すように、第１ガイド溝３３は、前端側と後端側で溝の深さが異なっており、前端側の溝底面３３ｂよりも後端側の溝底面３３ｃの方がホルダー２２の幅方向外側に後退した位置に設けられている。前端側の溝底面３３ｂと後端側の溝底面３３ｃは傾斜状の溝底面３３ｄによって接続されている。このような溝形状により、可動コネクター２１は、接続位置Ｑ２および後端位置Ｑ３を含む後方の移動領域（第１ガイド突起２８が溝底面３３ｃに沿って移動している範囲）では、第１ガイド突起２８の幅方向外側を向いた先端面２８ａと第１ガイド溝３３の後端側の溝底面３３ｃとの間に隙間Ｄ１（遊び／図９（ｂ）参照）が形成されるようになっている。
【００５１】
可動コネクター２１が前端位置Ｑ１に移動すると、第１ガイド突起２８の先端面２８ａと第１ガイド溝３３の前端側の溝底面３３ｂとが対峙した状態になる。溝底面３３ｂと先端面２８ａとの隙間は隙間Ｄ１に比べて小さく設定されている。本例では、前端位置Ｑ１では、溝底面３３ｂと先端面２８ａの間にはほとんど隙間がない状態になっている。可動コネクター２１が前方に移動するとき、左右の側面２７ａ、２７ｂに形成された各第１ガイド突起２８が内側を向いて傾斜している溝底面３３ｄに沿って案内されるため、可動コネクター２１が全体としてホルダー２２の中央に移動しながら前進する。このため、左右の第１ガイド突起２８を対向する溝底面３３ｂの間にスムーズに挿入できるようになっている。
【００５２】
図１１（ｂ）に示すように、第２ガイド溝３４は、第１ガイド溝３３と同様に前端側と後端側で溝の深さが異なる形状をしており、第２ガイド溝３４の後端側の溝底面３４ｃは、前端側の溝底面３４ｂよりもホルダー２２の幅方向外側に後退した位置に設けられ、溝底面３４ｂと溝底面３４ｃが傾斜状の溝底面３４ｄによって接続されている。可動コネクター２１は、第１ガイド突起２８が溝底面３３ｃに沿って移動する範囲では、第２ガイド突起２８が溝底面３３ｃに沿って移動するようになっている。このとき、第２ガイド突起２９の幅方向外側を向いた先端面２９ａと第２ガイド溝３４の後端側の溝底面３４ｃとの間に隙間Ｄ２（遊び／図９（ｂ）参照）が形成されるようになっている。可動コネクター２１が前方に移動するとき、第２ガイド突起２９は、第１ガイド突起２８と同様に傾斜状の溝底面３４ｄに沿って案内されるため、第２ガイド溝３４の前端側の対向する溝底面３４ｂの間に左右の第２ガイド突起２９が挿入される。前端位置Ｑ１において、各溝底面３４ｂと各第２ガイド突起２９の先端面２９ａの間にはほとんど隙間がない状態になっている。
【００５３】
このように、第１ガイド溝３３および第２ガイド溝３４は、前端側が浅く後端側が深い形状になっており、ホルダー２２の前端側では、溝底面３３ｂおよび溝底面３４ｂがその対向する側面２７ａ、２７ｂに接近しているため、対向する溝底面３３ｂ間および溝底面３４ｂの間の距離が狭くなっている。このため、前端位置Ｑ１では、可動コネクター２１が幅方向に遊びがほとんどない状態でホルダー２２に挿入されている。一方、ホルダー２２の後端側では、溝底面３３ｂおよび溝底面３４ｂがその対向する側面２７ａ、２７ｂから後退しているため、対向する溝底面３３ｃ間および溝底面３４ｃ間の距離が広くなっている。このため、可動コネクター２１が後方に移動して、第１ガイド突起２８の先端面２８ａが溝底面３３ｃに対峙し、且つ、第２ガイド突起２９の先端面２９ａが溝底面３４ｃに対峙する状態になったとき、可動コネクター２１は、幅方向の両側に隙間Ｄ１、Ｄ２の分だけ遊びがある状態でホルダー２２に挿入されている。つまり、可動コネクター２１は、接続位置Ｑ２およびその後方の後端位置Ｑ３では、幅方向の遊びが大きい状態で溝内に挿入されている。
【００５４】
次に、第１ガイド溝３３および第２ガイド溝３４の縦断面形状について説明する。第１ガイド溝３３および第２ガイド溝３４は、図１１（ａ）に示すように、前端側と後端側で溝幅（ホルダー２２の厚さ方向／図１１（ａ）の上下方向の溝幅）が異なる縦断面形状をしており、前端側の溝幅の方が後端側の溝幅よりも狭くなっている。第１ガイド溝３３は、その前端側を除く大部分が一定の溝幅Ｔ１ａの幅広部３３ｅとなっている。溝幅Ｔ１ａは、第１ガイド突起２８の厚さよりもかなり大きく設定されている。幅広部３３ｅの前端には、前方に向かうに従って溝幅が縮小する溝幅縮小部３３ｆが接続され、溝幅縮小部３３ｆの前端には、一定幅の狭い溝部分である溝前端部３３ｇが設けられている。溝前端部３３ｇの溝幅Ｔ１ｂは幅広部３３ｅの溝幅Ｔ１ａよりも狭く、第１ガイド突起２８が挿入されたとき、当該第１ガイド突起２８が内接する程度の寸法に設定されている。
【００５５】
第２ガイド溝３４は、第１ガイド溝３３と同様の縦断面形状をしており、その前端側を除く大部分が一定の溝幅Ｔ２ａの幅広部３４ｅとなっている。溝幅Ｔ２ａは、第２ガイド突起２９の厚さよりもかなり大きく設定されている。幅広部３４ｅの前端には、前方に向かうに従って溝幅が縮小する溝幅縮小部３４ｆが接続され、溝幅縮小部３４ｆの前端には、一定幅の狭い溝幅の溝前端部３４ｇが設けられている。溝前端部３４ｇの溝幅Ｔ２ｂは幅広部３４ｅの溝幅Ｔ２ａよりも狭く、第２ガイド突起２９が挿入されたとき、当該第２ガイド突起２９が内接する程度の寸法に設定されている。
【００５６】
可動コネクター２１が前端位置Ｑ１にあるとき、第１ガイド突起２８が第１ガイド溝３３の溝前端部３３ｇに挿入され、且つ、第２ガイド突起２９が第２ガイド溝３４の溝前端部３４ｇに挿入されている。従って、前端位置Ｑ１では、第１ガイド突起２８および第２ガイド突起２９がいずれも溝幅方向（すなわち、ホルダー２２の厚さ方向）に遊びのない状態で挿入されている。一方、可動コネクター２１を後方に移動させると、第１ガイド突起２８が幅広部３３ｅに挿入され、且つ、第２ガイド突起２９が幅広部３４ｅに挿入された状態となる。従って、第１ガイド突起２８および第２ガイド突起２９は、いずれも、溝幅方向に遊びのある状態で溝内を案内される。
【００５７】
このように、本例では、ホルダー２２によって可動コネクター２１を前後方向に移動可能に保持すると共に、ホルダー２２に形成した第１ガイド溝３３および第２ガイド溝３４の溝の深さを前端側で浅くし、後端側で深く設定している。また、第１ガイド溝３３および第２ガイド溝３４の溝幅を前端側で狭くし、後端側において広く設定している。これにより、ホルダー２２は、可動コネクター２１をその可動範囲の前端位置Ｑ１において幅方向および厚さ方向（すなわち、コネクター嵌合方向と直交する方向）に遊びがない状態で保持できるようになっている。また、ホルダー２２は、可動コネクター２１を前端位置Ｑ１から後方に移動させ、第１ガイド突起２８および第２ガイド突起２９を第１ガイド溝３３および第２ガイド溝３４における溝の深さが大きく溝幅が広い部分に移動させたとき、可動コネクター２１をその幅方向だけでなく厚さ方向にも遊びが大きい状態で保持できるようになっている。
【００５８】
ここで、ホルダー２２は、可動コネクター２１の幅方向の遊び（すなわち、隙間Ｄ１、Ｄ２の寸法）が、光学ドライブ３の幅方向の位置公差以上の寸法となるように構成されている。また、可動コネクター２１の厚さ方向の遊びが光学ドライブ３の厚さ方向の位置公差以上の寸法となるように、第１ガイド溝３３および第２ガイド溝３４の溝幅Ｔ１ａ、Ｔ２ａが決定されている。
【００５９】
以上のように、本実施形態では、光学ドライブ３の挿入時に、付勢バネ２３によって可動コネクター２１を固定コネクター２４に押し付けて嵌合させることができる。従って、光学ドライブ３の取付時におけるコネクター接続作業が容易である。また、可動コネクター２１をホルダー２２によって規定される可動範囲内で前後方向に移動可能にしているため、光学ドライブ３の前後方向の位置決めに伴う固定コネクター２４および可動コネクター２１の接続性の低下を抑制することができる。よって、光学ドライブ３の取付位置精度とコネクター接続性の両立を図ることができる。
【００６０】
特に、本実施形態では、ホルダー２２によって規定される可動範囲の前端位置Ｑ１では、可動コネクター２１をコネクター嵌合方向と直交する方向（幅方向および厚さ方向）にほとんど遊びのない状態で保持できる。このため、光学ドライブ３の着脱作業時に可動コネクター２１が動いてしまうことがなく、固定コネクター２４との接続作業が容易である。その一方で、前端位置Ｑ１から可動コネクター２１を後退させることによって可動コネクター２１の幅方向および厚さ方向への位置規制が外れてゆき、接続位置Ｑ２および後端位置Ｑ３を含む後端側の領域では、可動コネクター２１が、コネクター嵌合方向と直交する方向（幅方向および厚さ方向）に光学ドライブ３の位置公差以上の遊びがある状態で保持されるようになっている。従って、可動コネクター２１を後方へ押し込むことによって幅方向および上下方向への位置調整の自由度を大きくすることができ、光学ドライブ３の前後方向の取付位置の調整だけでなく、幅方向および上下方向の取付位置の調整までも可能にすることができる。
【００６１】
更に、本実施形態では、可動コネクター２１の側面２７ａ、２７ｂにおいて、前後方向の異なる位置に２つのガイド突起（第１ガイド突起２８および第２ガイド突起２９）を形成して可動コネクター２１を前後２箇所でガイドするように構成している。各側面に形成するガイド突起の数は１つでも良いが、ガイド突起を複数（２あるいはそれ以上）形成してそれぞれをガイド溝に沿って案内することにより、可動コネクター２１の傾きを抑制してその姿勢を安定させることができる。従って、コネクターの接続作業性を更に良好にすることができる。
【００６２】
なお、上記実施形態では、可動コネクター２１にガイド突起を形成し、その幅方向の両側に配置したガイド部３２ａ、３２ｂにガイド溝を形成しているが、可動コネクター２１にガイド溝を形成し、ホルダー２２の側にガイド突起を形成した構成にすることもできる。
【００６３】
また、上記実施形態では、前端位置Ｑ１において可動コネクター２１が幅方向および厚さ方向に遊びのない状態で保持されるように構成しているが、前端位置Ｑ１において、接続位置Ｑ２および後端位置Ｑ３よりも小さな遊びのある状態で可動コネクター２１が保持される構成としてもよい。前端位置Ｑ１において適度な遊びがある構成にすることにより、コネクター嵌合開始時に可動コネクター２１の位置を微調整できるという利点が得られる。
【００６４】
（他の実施形態）
上記実施形態は、多数の光ディスク１０へのデータの書き込みを連続で行うためのパブリッシャー１に本発明を適用したものであったが、本発明は、光学ドライブを着脱可能に装着し、光ディスクの搬送機構を備える各種の光ディスク処理装置に適用できる。
【符号の説明】
【００６５】
１…パブリッシャー（光ディスク処理装置）、１Ａ…光学ドライブ着脱機構、１Ｂ…ロック機構、１Ｃ…ロック解除機構、１Ｄ…コネクター接続機構、２…オートローダー（搬送機構）、２ａ…垂直ガイド軸、２ｂ…ディスクキャリア、３…光学ドライブ、３ａ…ディスクトレイ、４…レーベルプリンター、４ａ…ディスクトレイ、４ｂ…カートリッジ装着部、５…供給スタッカー、６…収納スタッカー、７…装置ケース、８…開閉扉、９…開閉扉、１０…光ディスク、１０Ａ…ブランクディスク、１０Ｂ…完成ディスク、１１…支持フレーム、１２Ｌ…側板、１２Ｒ…側板、１３…天板、１４Ｌ…支持板、１４Ｒ…支持板、１５…ロックレバー、１５ａ…係合爪、１５ｂ…ガイド孔、１５Ａ…ロック位置、１５Ｂ…ロック解除位置、１６…ロック解除レバー、１６ａ…長孔、１６ｂ…スライド片、１６ｃ…ロック解除ピン、１６ｄ…解除操作片、１７…回転支軸、１８…ロック板、１８ａ…側板部、１８ｂ…底板部、１８ｃ…操作片、１９…ロックピン、２０…捻りバネ、２１…可動コネクター、２２…ホルダー、２３…付勢バネ（付勢手段）、２４…固定コネクター、２５…コネクター部、２６…保持部材、２６ａ…本体部、２６ｂ、２６ｃ…側板部、２６ｄ…凹部、２７ａ、２７ｂ…側面、２８…第１ガイド突起、２８ａ…先端面、２９…第２ガイド突起、２９ａ…先端面、３０…バネ取付部、３１ａ、３１ｂ…位置規制部、３２ａ、３２ｂ…ガイド部、３３…第１ガイド溝、３３ａ…前端面
３３ｂ、３３ｃ、３３ｄ…溝底面、３３ｅ…幅広部、３３ｆ…溝幅縮小部、３３ｇ…溝前端部、３４…第２ガイド溝、３４ａ…前端面、３４ｂ、３４ｃ、３４ｄ…溝底面、３４ｅ…幅広部、３４ｆ…溝幅縮小部、３４ｇ…溝前端部、Ｄ１…隙間、Ｄ２…隙間、Ｐ１…取付位置、Ｐ２…取付位置、Ｑ１…前端位置、Ｑ２…接続位置、Ｑ３…後端位置、Ｔ１ａ…溝幅、Ｔ１ｂ…溝幅、Ｔ２ａ…溝幅、Ｔ２ｂ…溝幅
【図１】
0005842530.tif 000002
【図２】
0005842530.tif 000003
【図３】
0005842530.tif 000004
【図４】
0005842530.tif 000005
【図５】
0005842530.tif 000006
【図６】
0005842530.tif 000007
【図７】
0005842530.tif 000008
【図８】
0005842530.tif 000009
【図９】
0005842530.tif 000010
【図１０】
0005842530.tif 000011
【図１１】
0005842530.tif 000012